(57)【特許請求の範囲】
【請求項１】
印刷配線基板上に接続脚部が接合されて実装された他のコネクタの嵌合凹部に、上方側から差し込むようにして嵌合される嵌合凸部が設けられたコネクタ本体部を有するものであって、
前記コネクタ本体部には、信号伝送媒体の端末部が前記印刷配線基板から上方に離間して略平行に延在するように連結され、その連結された信号伝送媒体の端末部の下方に前記他のコネクタの伝送媒体側接続脚部が配置されるとともに、
前記他のコネクタに、前記伝送媒体側接続脚部と反対側に延出する反伝送媒体側接続脚部が設けられたものであって、
前記他のコネクタとの嵌合時に、前記伝送媒体側接続脚部及び反伝送媒体側接続脚部が、前記コネクタ本体部から外方に延出して露出状態になされるように構成された電気コネクタにおいて、
前記コネクタ本体部に、前記信号伝送媒体の端末部と前記他のコネクタの伝送媒体側接続脚部との間から延出する伝送媒体側シールドカバーが設けられ、
その伝送媒体側シールドカバーは、前記他のコネクタの伝送媒体側接続脚部に沿って延出して当該他のコネクタの伝送媒体側接続脚部を上方側から覆うように構成されているとともに、
前記コネクタ本体部に、前記他のコネクタの反伝送媒体側接続脚部を上方側から覆う反伝送媒体側シールドカバーが設けられたものであって、
前記伝送媒体側シールドカバー及び反伝送媒体側シールドカバーの端縁部には、前記両コネクタ同士の嵌合操作完了時に前記印刷配線基板の表面に接触又は近接される嵌合支持部がそれぞれ設けられていることを特徴とする電気コネクタ。
【請求項２】
第１コネクタのコネクタ本体部に設けられた嵌合凸部が、印刷配線基板上に接続脚部が接合されて実装された第２のコネクタの嵌合凹部に上方側から差し込むように嵌合されるものであって、
前記第１コネクタのコネクタ本体部には、信号伝送媒体の端末部が前記印刷配線基板から上方に離間して略平行に延在するように連結され、その連結された信号伝送媒体の端末部の下方に前記第２コネクタの伝送媒体側接続脚部が配置されるとともに、
前記第２コネクタに、前記伝送媒体側接続脚部と反対側に延出する反伝送媒体側接続脚部が設けられたものであって、
前記第１コネクタと第２コネクタとの嵌合時に、前記伝送媒体側接続脚部及び反伝送媒体側接続脚部が、前記第１コネクタのコネクタ本体部から外方に延出して露出状態になされる構成になされた電気コネクタの組立体において、
前記第１コネクタのコネクタ本体部に、前記信号伝送媒体の端末部と前記第２コネクタの伝送媒体側接続脚部との間から延出する伝送媒体側シールドカバーが設けられ、
その伝送媒体側シールドカバーは、前記第２コネクタの伝送媒体側接続脚部に沿うように延出して当該第２コネクタの伝送媒体側接続脚部を上方側から覆うように構成されているとともに、
前記第１コネクタのコネクタ本体部に、前記第２コネクタの反伝送媒体側接続脚部を上方側から覆う反伝送媒体側シールドカバーが設けられたものであって、
前記伝送媒体側シールドカバー及び反伝送媒体側シールドカバーの端縁部には、前記第１コネクタ及び第２コネクタ同士の嵌合操作完了時に前記印刷配線基板の表面に接触又は近接される嵌合支持部がそれぞれ設けられていることを特徴とする電気コネクタの組立体。
【請求項３】
前記伝送媒体側シールドカバー及び反伝送媒体側シールドカバーに、両コネクタ同士の嵌合操作時に前記他のコネクタ又は第２コネクタの外表面に接触する嵌合案内部が設けられていることを特徴とする請求項１記載の電気コネクタ、又は請求項２記載の電気コネクタの組立体。
【発明の詳細な説明】
【技術分野】
【０００１】
本発明は、印刷配線基板上に接続脚部が接合されて実装された他のコネクタに、信号伝送媒体の端末部が連結されたコネクタ本体部を上方側から差し込むように嵌合されるように構成された電気コネクタ及びその組立体に関する。
【背景技術】
【０００２】
一般に、種々の電気機器において、互いに嵌合接続可能に構成された一対の電気コネクタを使用して、複数本の細線同軸ケーブルやフレキシブル配線基板等の各種信号伝送媒体を印刷配線基板に接続することが広く行われている。そのときの一対の電気コネクタとしては、例えば下記の特許文献１〜３に記載されているように信号伝送媒体の端末部分が連結されるプラグコネクタ（第１コネクタ）と、印刷配線基板上に実装されるリセプタクルコネクタ（第２コネクタ）とが使用され、リセプタクルコネクタにプラグコネクタが嵌合されることにより電気的な接続が行われるようになっている。
【０００３】
ここで、プラグコネクタ（第１コネクタ）をリセプタクルコネクタ（第２コネクタ）に対して上方側から差し込むように嵌合する構成になされた垂直嵌合型の電気コネクタにおいては、印刷配線基板に接合されたリセプタクルコネクタの接続脚部が、コネクタ本体から外方に延出して露出状態となることがあり、それが電磁波障害（ＥＭＩ）発生の原因となるおそれがある。例えば、図１５に示されているように、プラグコネクタＸの外形形状をリセプタクルコネクタＹよりも小さく形成して両コネクタＸ，Ｙ同士の嵌合状態を上方側から視認可能とした構成のものでは、リセプタクルコネクタＹの接続脚部Ｙ１が露出状態になり易いため、近年の伝送信号の高周波化に伴って電磁波障害（ＥＭＩ）が大きな問題となりつつある。
【０００４】
このような事情に鑑みて従来より、図１６にも示されているように、嵌合後における両コネクタＸ，Ｙの全体を上方から覆うようにシールドカバーＺを取り付け、そのコネクタ嵌合後に取り付けられたシールドカバーＺの一端縁部分Ｚ１を、リセプタクルコネクタＹの接続脚部Ｙ１の上方側に延出させることによって電磁シールドすることが行われている。しかしながら、このような従来の電気コネクタでは、信号伝送媒体（細線同軸ケーブル）Ｗの端末部Ｗ１の下方に配置された接続脚部Ｙ１を覆うようにシールドカバーＺを設けようとしても、信号伝送媒体Ｗが邪魔になってシールドカバーＺを配置することが困難になっている。また、シールドカバーＺが別部品として形成されていることから、部品点数が増大するとともに、両コネクタＸ，Ｙの嵌合後にシールドカバーＺの取付けが行われるために組立て作業の工程数が増大し、生産性の低下を招来するという問題もある。
【先行技術文献】
【特許文献】
【０００５】
【特許文献１】実用新案登録第３１１８７１９号公報
【特許文献２】特開２００９−４１１７号公報
【特許文献３】特開２０１０−１６０９７６号公報
【発明の開示】
【発明が解決しようとする課題】
【０００６】
そこで本発明は、簡易な構成によって、信号伝送媒体の下方に配置されている接続脚部に対するシールドが、両コネクタ同士を嵌合した時点で行われるようにした電気コネクタ及びその組立体を提供することを目的とする。
【課題を解決するための手段】
【０００７】
上記目的を達成するため本発明にかかる電気コネクタでは、印刷配線基板上に接続脚部が接合されて実装された他のコネクタの嵌合凹部に、上方側から差し込むようにして嵌合される嵌合凸部が設けられたコネクタ本体部を有するものであって、前記コネクタ本体部には、信号伝送媒体の端末部が前記印刷配線基板から上方に離間して略平行に延在するように連結され、その連結された信号伝送媒体の端末部の下方に前記他のコネクタの伝送媒体側接続脚部が配置されるとともに、前記他のコネクタに、前記伝送媒体側接続脚部と反対側に延出する反伝送媒体側接続脚部が設けられたものであって、前記他のコネクタとの嵌合時に、前記伝送媒体側接続脚部及び反伝送媒体側接続脚部が、前記コネクタ本体部から外方に延出して露出状態になされるように構成された電気コネクタにおいて、前記コネクタ本体部に、前記信号伝送媒体の端末部と前記他のコネクタの伝送媒体側接続脚部との間から延出する伝送媒体側シールドカバーが設けられ、その伝送媒体側シールドカバーは、前記他のコネクタの伝送媒体側接続脚部に沿って延出して当該他のコネクタの伝送媒体側接続脚部を上方側から覆うように構成されているとともに、前記コネクタ本体部に、前記他のコネクタの反伝送媒体側接続脚部を上方側から覆う反伝送媒体側シールドカバーが設けられたものであって、前記伝送媒体側シールドカバー及び反伝送媒体側シールドカバーの端縁部には、前記両コネクタ同士の嵌合操作完了時に前記印刷配線基板の表面に接触又は近接される嵌合支持部がそれぞれ設けられた構成になされている。
【０００８】
また、上記目的を達成するため本発明にかかる電気コネクタ組立体では、第１コネクタのコネクタ本体部に設けられた嵌合凸部が、印刷配線基板上に接続脚部が接合されて実装された第２のコネクタの嵌合凹部に上方側から差し込むように嵌合されるものであって、前記第１コネクタのコネクタ本体部には、信号伝送媒体の端末部が前記印刷配線基板から上方に離間して略平行に延在するように連結され、その連結された信号伝送媒体の端末部の下方に前記第２コネクタの伝送媒体側接続脚部が配置されるとともに、前記第２コネクタに、前記伝送媒体側接続脚部と反対側に延出する反伝送媒体側接続脚部が設けられたものであって、前記第１コネクタと第２コネクタとの嵌合時に、前記伝送媒体側接続脚部及び反伝送媒体側接続脚部が、前記第１コネクタのコネクタ本体部から外方に延出して露出状態になされる構成になされた電気コネクタの組立体において、前記第１コネクタのコネクタ本体部に、前記信号伝送媒体の端末部と前記第２コネクタの伝送媒体側接続脚部との間から延出する伝送媒体側シールドカバーが設けられ、その伝送媒体側シールドカバーは、前記第２コネクタの伝送媒体側接続脚部に沿うように延出して当該第２コネクタの伝送媒体側接続脚部を上方側から覆うように構成されているとともに、前記第１コネクタのコネクタ本体部に、前記第２コネクタの反伝送媒体側接続脚部を上方側から覆う反伝送媒体側シールドカバーが設けられたものであって、前記伝送媒体側シールドカバー及び反伝送媒体側シールドカバーの端縁部には、前記第１コネクタ及び第２コネクタ同士の嵌合操作完了時に前記印刷配線基板の表面に接触又は近接される嵌合支持部がそれぞれ設けられた構成になされている。
【０００９】
このような構成を有する電気コネクタ及びその組立体によれば、他のコネクタ（第２コネクタ）の伝送媒体側接続脚部及び反伝送媒体側接続脚部を上方側から覆う伝送媒体側シールドカバー及び反伝送媒体側シールドカバーがコネクタ本体部に予め設けられていることから、両コネクタ同士を嵌合した時点で、信号伝送媒体の下方側に配置されている伝送媒体側接続脚部及び反伝送媒体側接続脚部が伝送媒体側シールドカバー及び反伝送媒体側シールドカバーにより上方から覆われることとなり、電磁波障害（ＥＭＩ）の発生が良好に防止される。
加えて、このような構成を有する電気コネクタ及びその組立体によれば、コネクタ嵌合操作の完了後に、信号伝送媒体の端末部を介してコネクタ本体部に外部作用力が付加された際に、伝送媒体側シールドカバー及び反伝送媒体側シールドカバーの嵌合支持部が印刷配線基板の表面に接触し、印刷配線基板によって外部作用力が受けられることから、コネクタ本体部の外力に対する強度が向上されて良好な電気的な接続安定性が維持される。
【００１２】
また、本発明では、前記伝送媒体側シールドカバー及び反伝送媒体側シールドカバーに、両コネクタ同士の嵌合操作時に前記他のコネクタ又は第２コネクタの外表面に接触する嵌合案内部が設けられていることが望ましい。
【００１３】
このような構成を有する電気コネクタ及びその組立体によれば、他のコネクタ又は第２コネクタに対する嵌合操作が、嵌合案内部で位置決めされた状態で行われるため、両コネクタ同士の嵌合操作が安定的に行われる。
【発明の効果】
【００１６】
以上述べたように本発明にかかる電気コネクタ及びその組立体は、信号伝送媒体の端末部と他のコネクタ（第２コネクタ）の伝送媒体側接続脚部との間から延出する伝送媒体側シールドカバーをコネクタ本体部に予め設けておき、両コネクタ同士を嵌合した時点で信号伝送媒体（細線同軸ケーブル）の下方側に配置されている伝送媒体側接続脚部を伝送媒体側シールドカバーで上方から覆うとともに、伝送媒体側接続脚部と反対側に延出する反伝送媒体側接続脚部を反伝送媒体側シールドカバーにより上方側から覆うことによって電磁波障害（ＥＭＩ）の発生を良好に防止する構成を採用し、信号伝送媒体の下方に配置されている接続脚部に対する電磁シールドを、簡易な構成で、かつ両コネクタ同士の嵌合時点で直ちに行うことができることに加えて、伝送媒体側シールドカバー及び反伝送媒体側シールドカバーの端縁部に、両コネクタ同士の嵌合操作完了時に印刷配線基板の表面に接触又は近接される嵌合支持部をそれぞれ設け、コネクタ本体部に外部作用力が付加された際に、伝送媒体側シールドカバー及び反伝送媒体側シールドカバーの嵌合支持部を印刷配線基板の表面に接触させて外部作用力を受けることによって、外力に対する強度を向上させたものであるから、電気コネクタの性能又は信頼性を低廉かつ大幅に向上させることができる。
【図面の簡単な説明】
【００１７】
【図１】本発明の一実施形態にかかる細線同軸ケーブル用電気コネクタの嵌合前の状態を前方側から表した外観斜視説明図である。
【図２】図１にかかる電気コネクタの状態を後方側から表した外観斜視説明図である。
【図３】図１及び図２に示された電気コネクタが嵌合されて構成された電気コネクタ組立体を前方側から表した外観斜視説明図である。
【図４】図３にかかる電気コネクタ組立体を後方側から表した外観斜視説明図である。
【図５】図３及び図４に表された電気コネクタ組立体を上方側から表した平面説明図である。
【図６】図５中の VI−VI 線に沿った横断面説明図である。
【図７】図５中の VII−VII 線に沿った横断面説明図である。
【図８】図５中の VIII−VIII 線に沿った横断面説明図である。
【図９】図１〜図８に示されたプラグコネクタ（第１コネクタ）に使用されている前方側導電性シェルの構造を後方側から表した外観斜視説明図である。
【図１０】図１〜図８に示されたプラグコネクタ（第１コネクタ）に使用されている後方側導電性シェルの構造を前方側から表した外観斜視説明図である。
【図１１】図１〜図８に示されたプラグコネクタ（第１コネクタ）の組立て工程を表した分解斜視説明図である。
【図１２】図１〜図８に示されたプラグコネクタ（第１コネクタ）をリセプタクルコネクタ（第２コネクタ）に嵌合させる工程の初期状態を表した模式的断面説明図である。
【図１３】図１２に示された状態からプラグコネクタ（第１コネクタ）を回動させながら嵌合操作を進めた状態を表した模式的断面説明図である。
【図１４】図１３に示された状態から嵌合操作を更に進めてプラグコネクタ（第１コネクタ）を略水平状態とした状態を表した図７相当の横断面説明図である。
【図１５】従来の電気コネクタ組立体を表したものであって、電気コネクタ組立体にシールドカバーを取り付ける途中の工程を示した外観斜視説明図である。
【図１６】図１５に示された状態からシールドカバーを電気コネクタ組立体に取り付けた後の状態を表した外観斜視説明図である。
【発明を実施するための形態】
【００１８】
以下、本発明を、複数本の細線同軸ケーブルを印刷配線基板側に接続する電気コネクタに適用した実施形態の説明を図面に基づいて詳細に行う。
【００１９】
［電気コネクタ組立体の全体構成］
まず、図１〜図８に示された本発明の一実施形態にかかる電気コネクタ組立体は、信号伝送媒体としての細線同軸ケーブルＳＣの端末部が連結されたプラグコネクタ（第１コネクタ）１と、そのプラグコネクタ１が上方側から嵌合されるリセプタクルコネクタ（第２コネクタ）２と、からなる垂直嵌合型コネクタにより構成されている。そのうちのリセプタクルコネクタ２は、印刷配線基板Ｐ上に接続脚部が接合されて実装されるように構成されており、当該リセプタクルコネクタ２の上方に配置されたプラグコネクタ１が、前記印刷配線基板Ｐと略直交する方向である図１下方向に向かって下降されることによって、リセプタクルコネクタ２の嵌合凹部２Ａ（図１２及び図１３参照）の内方にプラグコネクタ１の嵌合凸部１Ａ（図１２及び図１３参照）が差し込まれ、それにより両コネクタ１，２どうしの嵌合操作が行われる。以下、プラグコネクタ１を差し込む方向を「下方向」とし、その反対側の抜き出す方向を「上方向」とする。
【００２０】
［コネクタ本体部の概要］
これらのプラグコネクタ（第１コネクタ）１、及びリセプタクルコネクタ（第２コネクタ）２は、細長状をなすように形成されたコネクタ本体部１０，２０を有している。以下において、コネクタ本体部１０，２０の長手方向を「コネクタ長手方向」と呼び、そのコネクタ長手方向、及び上述した上下方向の双方に直交する方向を「前後方向」と呼ぶこととする。
【００２１】
そして、それらのコネクタ本体部１０，２０の枠体を構成する絶縁ハウジング１１，２１には、互いに異なる形状をなす複数体の第１導電端子（コンタクト）１２，２２、及び第２導電端子（コンタクト）１３，２３が、コネクタ長手方向に沿って適宜のピッチ間隔で交互に多極配列されている。そして、上述したように第２コネクタとしてのリセプタクルコネクタ２に対して、第１コネクタとしてのプラグコネクタ１が下方向に向かって差し込まれ、これら両コネクタ１，２同士の嵌合操作が完了したときには、特に図６及び図７に示されているように、当該両コネクタ１，２にそれぞれ設けられた第１導電端子（コンタクト）１２，２２の接点部同士、及び第２導電端子（コンタクト）１３，２３の接点部同士が、互いに圧接するようにして接触されて電気的な接続が行われる構成になされている。
【００２２】
また、上述した絶縁ハウジング１１，２１の外表面には、同じくコネクタ本体部１０，２０を構成する金属製の導電性シェル１４，２４が装着されている。プラグコネクタ（第１コネクタ）１側の導電性シェル１４は、上述した嵌合凸部１Ａ（図１２及び図１３参照）を有する下面側を除くほぼ全面を覆うように装着されており、リセプタクルコネクタ（第２コネクタ）２側の導電性シェル２４は、上述した嵌合凹部２Ａ（図１２及び図１３参照）を有する上面側及び実装面である下面側を除く外周側部分を覆うように装着されている。
【００２３】
このとき、上述した両コネクタ１，２の嵌合凸部１Ａ及び嵌合凹部２Ａ（図１２及び図１３参照）は、絶縁ハウジング１１，２１及び導電性シェル１４，２４を、コネクタ長手方向に沿って凸形状及び凹形状に延在するように形成したものであって、それら絶縁ハウジング１１，２１及び導電性シェル１４，２４の凸形状部分及び凹形状部分には、上述した導電端子（コンタクト）１２，１３及び２２，２３並びに導電性シェル１４，２４の接点部が配置され、両コネクタ１，２の嵌合時に電気的及び機械的な嵌合関係が形成されるようになっている。
【００２４】
［信号伝送媒体の概要］
一方、細線同軸ケーブル（信号伝送媒体）ＳＣの端末部分は、プラグコネクタ（第１コネクタ）１の前後方向における一端側縁部に連結されており、コネクタ長手方向に沿って複数本の細線同軸ケーブルＳＣが多極状をなすように並列されている。以下、この細線同軸ケーブルＳＣの端末部分が連結されている長尺状側の端縁部を「後端縁部」と呼び、それと反対側の前方側の長尺状端縁部を「前端縁部」と呼ぶこととする。さらに、これらプラグコネクタ１の「後端縁部」及び「前端縁部」に対応するリセプタクルコネクタ２の各長尺状端縁部についても、同様に「後端縁部」及び「前端縁部」と呼ぶこととする。
【００２５】
それらの各細線同軸ケーブル（信号伝送媒体）ＳＣの端末部分には、被覆材が皮剥きされることによって、ケーブル中心導体（信号線）ＳＣａ及びケーブル外部導体（シールド線）ＳＣｂが露出されている。そして、当該細線同軸ケーブルＳＣの中心軸心に沿うように配置されたケーブル中心導体ＳＣａが、上述したプラグコネクタ（第１コネクタ）１における第１及び第２の各導電端子（コンタクト）１２，１３のそれぞれに一括して半田接続されていて、後述するように、リセプタクルコネクタ（第２コネクタ）２の第１及び第２の各導電端子（コンタクト）２２，２３のそれぞれに接続されることによって信号伝送回路が形成される。なお、プラグコネクタ１の各導電端子１２，１３と、細線同軸ケーブルＳＣとの接続は、かしめ接続、圧接接続等により行うことも可能である。
【００２６】
一方、ケーブル中心導体ＳＣａの外周側を取り囲むように配置されたケーブル外部導体ＳＣｂは、上下一対配置されたグランドバーＳＣｃ，ＳＣｄの間において上下に挟持された状態で、一括して半田接続されることにより保持されている。これらのグランドバーＳＣｃ，ＳＣｄは、後述するようにプラグコネクタ１の導電性シェル１４に接触して電気的な接続が行われている。
【００２７】
［プラグコネクタ・シェル構造］
そのプラグコネクタ（第１コネクタ）１に装着された導電性シェル１４は、コネクタ長手方向に長尺状をなす薄板金属部材を適宜の形状に曲げ形成された構成になされており、プラグコネクタ１の嵌合凸部１Ａを除いたほぼ全体を上方側から覆うとともに、嵌合の操作後においては、後述するようにリセプタクルコネクタ（第２コネクタ）２を含む電気コネクタ組立体の略全体を上方側から覆うように構成されており、電磁波障害（ＥＭＩ）に対する電磁遮蔽の効果を得る上で好ましい構造になされている。
【００２８】
その導電性シェル１４は、プラグコネクタ（第１コネクタ）１の前方側部分を覆う前方側導電性シェル１４ａと、プラグコネクタ１の後方側部分を覆う後方側導電性シェル１４ｂとから構成されている。そのうちの前方側導電性シェル１４ａは、特に図９に示されているような形状を有しており、絶縁ハウジング１１に対して上方側からの圧入により取り付けられている。特に、この前方側導電性シェル１４ａにおけるコネクタ長手方向の両端部分に設けられた挿入固定部１４ａ１が、絶縁ハウジング１１に係合されて固定が行われるようになっている。
【００２９】
また、この前方側導電性シェル１４ａの最上面部を構成しているメインシェル部１４ａ２は、コネクタ長手方向に沿って延在する略平板状の部材から形成されており、当該メインシェル部１４ａ２の後端縁部分には、複数のグランド接続舌片１４ａ３がコネクタ長手方向に適宜の間隔で設けられている。それらの各グランド接続舌片１４ａ３は、切欠き形成されており、それぞれの切欠き孔に溶融半田が流し込まれることによる半田付けがなされ、それにより、上述した上部グランドバーＳＣｄの上面とグランド接続舌片１４ａ３とが半田付けされグランド回路の電気的な接続が行われるようになっている。なお、グランド接続舌片１４ａ３を適宜の弾性可撓性を有した片持ち状に形成し、上述した上部グランドバーＳＣｄの上面に対して、上方側から弾性的に接触させてグランド回路の電気的な接続を行うことも可能である。
【００３０】
さらに、このプラグコネクタ（第１コネクタ）１の前方側導電性シェル１４ａを構成しているメインシェル部１４ａ２の前端側部分は、略平坦状をなして延在するように形成されており、そのメインシェル部１４ａ２の平坦状をなす前端側部分が、両コネクタ１，２の嵌合操作完了時においてリセプタクルコネクタ（第２コネクタ）２の一部、より具体的には後述する導電性シェル２４の前端側凸部２４ｄに上方側から接触するように構成されており、リセプタクルコネクタ２との間にグランド回路の電気的な接続が行われるようになっている。このプラグコネクタ１の前方側導電性シェル１４ａを構成しているメインシェル部１４ａ２には、前方側、すなわち上述した細線同軸ケーブル（信号伝送媒体）ＳＣとは反対側に向かって延出する反伝送媒体側シールドカバー１４ａ４が設けられている。この反伝送媒体側シールドカバー１４ａ４は、本発明の要部を構成するものであるので、後段において詳細に説明することとする。
【００３１】
これに対して、後方側導電性シェル１４ｂは、特に図１０に示されているような形状を有しており、コネクタ長手方向に長尺棒状をなすように配置された、いわゆるクロストーク防止用の中間グランド部１４ｂ１と、その中間グランド部１４ｂ１から後方に延びる複数の湾曲状連結片１４ｂ２と、それら複数の湾曲状連結片１４ｂ２の後端部に連結されたメインシェル部１４ｂ３とを有している。メインシェル部１４ｂ３は、コネクタ長手方向に沿って延在する略平板状の部材から形成されており、そのメインシェル部１４ｂ３の前端側部分は、中間グランド部１４ｂ１及び湾曲状連結片１４ｂ２とともに、上述した絶縁ハウジング１１にインサート成形されており、これによって後方側導電性シェル１４ｂ全体の固定が行われている。
【００３２】
また、このプラグコネクタ（第１コネクタ）１の後方側導電性シェル１４ｂを構成しているメインシェル部１４ｂ３の後端側部分は、絶縁ハウジング１１から後方に向かって略水平に突出するように形成されており、当該メインシェル部１４ｂ３の後端側部分が、上述した下部グランドバーＳＣｃに対して下方側から接触する配置関係なされていることによって、グランド回路の電気的な接続が行われる構成になされている。なお、下部グランドバーＳＣｃを使用することなく、複数の細線同軸ケーブルＳＣのそれぞれのケーブル外部導体ＳＣｂが、メインシェル部１４ｂ３に直接的に接触し、グランド回路の電気的な接続が行われる構成にすることも可能である。この場合、下部グランドバーＳＣｃの部品削減ができるだけでなく、ケーブル外部導体ＳＣｂとメインシェル部１４ｂ３との直接的な接続により、複数の細線同軸ケーブルＳＣのそれぞれについて、それに付随するグランド回路抵抗が低減され、良好なグランド特性を得ることができる。
【００３３】
また、このメインシェル部１４ｂ３のコネクタ長手方向の両端部分及び中央部分には、細線同軸ケーブルＳＣの端末部分を位置決めする伝送媒体規制板１４ｂ４が上方に立てられるように形成されている。さらに、そのメインシェル部１４ｂ３の後端側部分には、後方側、すなわち上述した細線同軸ケーブル（信号伝送媒体）ＳＣと同じ側に向かって延出する伝送媒体側シールドカバー１４ｂ５が設けられているが、当該伝送媒体側シールドカバー１４ｂ５は、本発明の要部を構成するものであるので、後段において詳細に説明することとする。
【００３４】
［リセプタクルコネクタ・シェル構造］
このような第１コネクタとしてのプラグコネクタ１に対して、上述した第２コネクタとしてのリセプタクルコネクタ２に設けられた導電性シェル２４は、絶縁ハウジング２１の前後方向における両端縁部に沿ってコネクタ長手方向の両端縁部まで延在するように配置されている。その導電性シェル２４のコネクタ長手方向両端部分には、前後方向にそれぞれ突出するように折り曲げ形成されたホールドダウン２４ａ，２４ｂが設けられているとともに、当該導電性シェル２４の前端縁部におけるコネクタ長手方向の略中央部分にもホールドダウン２４ｃが前方に突出するように形成されている。そして、これらの各ホールドダウン２４ａ，２４ｂ，２４ｃが、印刷配線基板Ｐ上のグランド導電路（図示省略）に対して半田接合されることにより、電気的な接続（グランド接続）と、リセプタクルコネクタ２全体の固定が行われる構成になされている。
【００３５】
また、上述したリセプタクルコネクタ（第２コネクタ）２の導電性シェル２４には、絶縁ハウジング２１の前端縁部分に形成された凸状部分を上方側から覆う前端側凸部２４ｄが設けられている。その前端側凸部２４ｄは、前述した嵌合凹部２Ａ（図１２及び図１３参照）に向かって斜め下方向に突出する弾性接続舌片２４ｅを有しており、それらの弾性接続舌片２４ｅがコネクタ長手方向に沿って適宜の間隔で複数配置されている。各弾性接続舌片２４ｅは、片持ち状に切り欠き形成されていることにより適宜の弾性可撓性を有するように形成されており、両コネクタ１，２の嵌合操作の完了時に、前述したプラグコネクタ（第１コネクタ）１の絶縁ハウジング１１の前端側壁面に圧接状態で接触する構成になされている。
【００３６】
［リセプタクルコネクタ・接続脚部構造］
さらに、このリセプタクルコネクタ（第２コネクタ）２に取り付けられた一方の第１導電端子（コンタクト）２２の前端縁側部分には、絶縁ハウジング２１の前端縁部から前方側に向かって略水平に突出する第１接続脚部２２ａが形成されており、それらの各第１接続脚部２２ａの前方側突出部分が、前述した印刷配線基板Ｐ上の信号導電路（図示省略）に半田接合されて電気的な接続が行われ、信号伝送回路が構成されるようになっている。なお、これらの第１接続脚部２２ａは、上述した細線同軸ケーブル（信号伝送媒体）ＳＣの端末部分とは反対側（前方側）に向かって突出していることから、本発明でいう反伝送媒体側接続脚部に相当する部材である。
【００３７】
さらにまた、このリセプタクルコネクタ２に取り付けられた他方の第２導電端子（コンタクト）２３の後端縁側部分には、絶縁ハウジング２１の後端縁部から後方側に向かって略水平に突出する第２接続脚部２３ａが形成されており、それらの各第２接続脚部２３ａにおける後方側への突出部分が、印刷配線基板Ｐ上の信号導電路（図示省略）に半田接合されて電気的な接続が行われ、同様に信号伝送回路が構成されるようになっている。なお、これらの第２接続脚部２３ａは、上述した細線同軸ケーブル（信号伝送媒体）ＳＣの端末部分と同じ側（後方側）に向かって突出していることから、本発明でいう伝送媒体側接続脚部に相当する部材である。
【００３８】
［シールドカバーの構成］
ここで、前述したように信号伝送媒体としての細線同軸ケーブルＳＣの端末部は、プラグコネクタ（第１コネクタ）１のコネクタ本体部１０を構成している絶縁ハウジング１１に連結されているが、その細線同軸ケーブルＳＣの端末部は、印刷配線基板Ｐの表面から上方にやや離間した位置で当該印刷配線基板Ｐの表面と略平行な状態で後方に延出している。さらに、その細線同軸ケーブル（信号伝送媒体）ＳＣの下方側には、上述したリセプタクルコネクタ（第２コネクタ）２側の第２導電端子（コンタクト）２３に設けられた第２接続脚部（伝送媒体側接続脚部）２３ａが、後方側に適宜の長さにわたって延出する配置関係になされている。
【００３９】
［伝送媒体側シールドカバー］
一方、プラグコネクタ（第１コネクタ）１側に設けられた導電性シェル１４の後方側導電性シェル１４ｂは、前述したように下部グランドバーＳＣｃに下方側から接触して後方に突出するメインシェル部１４ｂ３を有しているとともに、そのメインシェル部１４ｂ３の後端側部分には更に後方側に突出する伝送媒体側シールドカバー１４ｂ５が設けられている。この伝送媒体側シールドカバー１４ｂ５は、上述した細線同軸ケーブル（信号伝送媒体）ＳＣの端末部の下方側に配置されているとともに、リセプタクルコネクタ（第２コネクタ）２の第２接続脚部２３ａの上方側に沿って後方に延出するように配置されており、それによって第２接続脚部２３ａの外方露出部分を上方側から覆う構成になされている。
【００４０】
この伝送媒体側シールドカバー１４ｂ５は、プラグコネクタ（第１コネクタ）１の絶縁ハウジング１１から略水平に延出した後に略直角下方に折れ曲がって後方側嵌合案内部１４ｂ６になされている。このプラグコネクタ１に設けられた後方側嵌合案内部１４ｂ６は、リセプタクルコネクタ（第２コネクタ）２の導電性シェル１４の後端縁面に対して外方側から面接触する配置関係になされており、リセプタクルコネクタ２にプラグコネクタ１が嵌合される際に、当該後方側嵌合案内部１４ｂ６による位置決めが行われるようになっている。
【００４１】
このような構成の後方側嵌合案内部１４ｂ６をプラグコネクタ（第１コネクタ）１に設けておけば、後述する図１２〜図１４のように、リセプタクルコネクタ（第２コネクタ）２に対する嵌合操作が安定的に行われる。
【００４２】
さらに、伝送媒体側シールドカバー１４ｂ５は、上述した後方側嵌合ガイド部１４ｂ６の下端縁部から再び略水平方向に略直角に折れ曲がって後方側に延出した後に、印刷配線基板Ｐの表面に向かって略垂直に延出しており、両コネクタ１，２同士の嵌合時に当該伝送媒体側シールドカバー１４ｂ５の先端縁部が印刷配線基板Ｐの表面に近接するように配置されている。このときの伝送媒体側シールドカバー１４ｂ５の先端縁部は、外力に対抗する保持作用を備えた嵌合支持部１４ｂ７を構成するものである。
【００４３】
例えば、両コネクタ１，２同士の嵌合操作完了後に、細線同軸ケーブル（信号伝送媒体）ＳＣの端末部を通してプラグコネクタ（第１コネクタ）１に外部作用力が付加された際に、その伝送媒体側シールドカバー１４ｂ５の先端縁部に設けられた嵌合支持部１４ｂ７が印刷配線基板Ｐの表面に接触し、その結果、外部作用力が印刷配線基板Ｐに受けられることとなり、電気コネクタ組立体全体の外力に対する強度が向上されて良好な電気的な接続安定性が維持される。
【００４４】
なお、上述したように本実施形態にかかる嵌合支持部１４ｂ７は、両コネクタ１，２の嵌合時に印刷配線基板Ｐの表面に近接するように配置されているが、印刷配線基板Ｐの表面に接触させる配置関係とすることも可能である。
【００４５】
また、その伝送媒体側シールドカバー１４ｂ５の先端縁部に設けられている嵌合支持部１４ｂ７は、第２接続脚部２３ａの後方側への突出端よりもさらに後方側に位置するように形成されており、印刷配線基板Ｐの表面上に形成されたランド部Ｐ１も含めて、当該伝送媒体側シールドカバー１４ｂ５により上方側から覆われる構成になされている。なお、印刷配線基板Ｐ上の信号導電路（図示省略）およびグランド導電路（図示省略）は表面を絶縁体でほとんど覆われており、印刷配線基板Ｐの表面に露出して形成されている信号導電路（図示省略）およびグランド導電路（図示省略）は、第２接続脚部２３ａを半田接合するランド部Ｐ１と、ホールドダウン２４ｂ，２４ｃを半田接合する領域のみに限られる。
【００４６】
このような本実施形態にかかる構成によれば、リセプタクルコネクタ（第２コネクタ）２の第２接続脚部２３ａを上方側から覆う伝送媒体側シールドカバー１４ｂ５がコネクタ本体部１０に予め設けられていることから、両コネクタ１，２同士を嵌合した時点で、細線同軸ケーブル（信号伝送媒体）ＳＣの端末部の下方に配置されている第２接続脚部２３ａが伝送媒体側シールドカバー１４ｂ５により上方から覆われ、電磁波障害（ＥＭＩ）の発生が良好に防止されることとなる。
【００４７】
［反伝送媒体側シールドカバー］
また、前述したように同じく導電性シェル１４を構成している前方側導電性シェル１４ａのメインシェル部１４ａ２には、前方側に向かって延出する反伝送媒体側シールドカバー１４ａ４が設けられている。この反伝送媒体側シールドカバー１４ａ４は、メインシェル部１４ａ２の前端縁部から略直角下方に折れ曲がって前方側嵌合案内部１４ａ５になされている。このプラグコネクタ１に設けられた前方側嵌合案内部１４ａ５は、リセプタクルコネクタ（第２コネクタ）２に設けられた導電性シェル１４の前端縁面に対して外方側から面接触する配置関係になされており、リセプタクルコネクタ２にプラグコネクタ１が嵌合される際に、当該前方側嵌合案内部１４ａ５による位置決めが行われるようになっている。
【００４８】
このような前方側嵌合案内部１４ａ５をプラグコネクタ（第１コネクタ）１に設けておけば、リセプタクルコネクタ（第２コネクタ）２に対する嵌合操作が安定的に行われる。すなわち、両コネクタ１，２同士を嵌合させるにあたっては、例えば図１２に示されているように、まずプラグコネクタ１の前方側嵌合案内部１４ａ５をリセプタクルコネクタの前端縁部に当接させ、その当接縁を支点としてプラグコネクタ１の後端側部分を、矢印方向に下降させるように回動させて図１３の状態とし、最後に上述した後方側嵌合案内部１４ｂ６を、図１４のようにリセプタクルコネクタ２の導電性シェル１４の後端縁に当接させることによって、嵌合操作における位置決めが良好に行われる。これにより、プラグコネクタ１をリセプタクルコネクタ２へ嵌合する際のプラグコネクタ１の傾きを抑制することができ、プラグコネクタ１の斜め嵌合による第１導電端子２２および第２導電端子２３の変形や破損を防止することができる。
【００４９】
さらに、反伝送媒体側シールドカバー１４ａ４は、上述した前方側嵌合案内部１４ａ５の下端縁部から再び略水平方向に略直角に折れ曲がって前方側に延出した後に、印刷配線基板Ｐの表面に向かって略垂直に延出しており、両コネクタ１，２同士の嵌合時に当該反伝送媒体側シールドカバー１４ａ４の先端縁部が印刷配線基板Ｐの表面に近接するように配置されている。このときの反伝送媒体側シールドカバー１４ａ４の先端縁部は、外力に対抗する保持作用を備えた嵌合支持部１４ａ６を構成するものである。
【００５０】
例えば、両コネクタ１，２同士の嵌合操作完了後に、細線同軸ケーブル（信号伝送媒体）ＳＣの端末部を通してプラグコネクタ（第１コネクタ）１に外部作用力が付加された際に、その反伝送媒体側シールドカバー１４ａ４の先端縁部に設けられた嵌合支持部１４ａ６が印刷配線基板Ｐの表面に接触し、その結果、外部作用力が印刷配線基板Ｐに受けられることとなって、電気コネクタ組立体全体の外力に対する強度が向上されて良好な電気的な接続安定性が維持される。
【００５１】
なお、上述したように本実施形態にかかる嵌合支持部１４ａ６，１４ｂ７は、両コネクタ１，２の嵌合時に印刷配線基板Ｐの表面に近接するように配置されているが、印刷配線基板Ｐの表面に接触させるような配置関係とすることも可能である。
【００５２】
また、その反伝送媒体側シールドカバー１４ａ４の先端縁部に設けられている嵌合支持部１４ａ６は、第１接続脚部２２ａの前方側への突出端よりもさらに前方側に位置するように形成されており、印刷配線基板Ｐの表面上に形成されたランド部Ｐ１も、当該反伝送媒体側シールドカバー１４ａ４により上方側から覆われる構成になされている。なお、既に説明した通り印刷配線基板Ｐ上の信号導電路（図示省略）およびグランド導電路（図示省略）は表面を絶縁体でほとんど覆われており、印刷配線基板Ｐの表面に露出して形成されている信号導電路（図示省略）およびグランド導電路（図示省略）は、第１接続脚部２２ａを半田接合するランド部Ｐ１と、ホールドダウン２４ａ，２４ｃを半田接合する領域のみに限られる。
【００５３】
このような本実施形態にかかる構成によれば、リセプタクルコネクタ（第２コネクタ）２の第１接続脚部２２ａを上方側から覆う反伝送媒体側シールドカバー１４ａ４がコネクタ本体部１０に予め設けられていることから、両コネクタ１，２同士を嵌合した時点で、第１接続脚部２２ａが反伝送媒体側シールドカバー１４ａ４により上方から覆われ、電磁波障害（ＥＭＩ）の発生が良好に防止されることとなる。
【００５４】
以上、本発明者によってなされた発明を実施形態に基づき具体的に説明したが、本発明は上述した実施形態に限定されるものではなく、その要旨を逸脱しない範囲で種々変形可能であるというのはいうまでもない。
【００５５】
例えば、上述した実施形態では、互いに異なる形状をなす導電端子（コンタクト）を交互に配置しているが、同一の形状をなす導電端子を多極配列した電気コネクタに対しても本発明は同様に適用することが可能である。
【００５６】
また、本発明は、上述した実施形態のような細線同軸ケーブル用コネクタに限定されることはなく、細線同軸ケーブルと絶縁ケーブルとが複数混合したタイプの電気コネクタや、フレキシブル配線基板等が連結される電気コネクタ等についても同様に適用することが可能である。
【産業上の利用可能性】
【００５７】
以上のように本発明は、各種電気機器に使用される多種多様な電気コネクタに対して広く適用することが可能である。
【符号の説明】
【００５８】
１  プラグコネクタ（第１コネクタ）
１Ａ  嵌合凸部
２  リセプタクルコネクタ（第２コネクタ）
２Ａ  嵌合凹部
１０  コネクタ本体部
１１  絶縁ハウジング
１２  第１導電端子（コンタクト）
１３  第２導電端子（コンタクト）
１４  導電性シェル
１４ａ  前方側導電性シェル
１４ａ１  挿入固定部
１４ａ２  メインシェル部
１４ａ３  グランド接続舌片
１４ａ４  反伝送媒体側シールドカバー
１４ａ５  前方側嵌合案内部
１４ａ６  嵌合支持部
１４ｂ  後方側導電性シェル
１４ｂ１  中間グランド部
１４ｂ２  湾曲状連結片
１４ｂ３  メインシェル部
１４ｂ４  伝送媒体規制板
１４ｂ５  伝送媒体側シールドカバー
１４ｂ６  後方側嵌合案内部
１４ｂ７  嵌合支持部
２０  コネクタ本体部
２１  絶縁ハウジング
２２  第１導電端子（コンタクト）
２２ａ  第１接続脚部（反伝送媒体側接続脚部）
２３  第２導電端子（コンタクト）
２３ａ  第２接続脚部（伝送媒体側接続脚部）
２４  導電性シェル
２４ａ，２４ｂ，２４ｃ  ホールドダウン
２４ｄ  前端側凸部
２４ｅ  弾性接続舌片
Ｐ  印刷配線基板
Ｐ１  ランド部
ＳＣ  細線同軸ケーブル（信号伝送媒体）
ＳＣａ  ケーブル中心導体（信号線）
ＳＣｂ  ケーブル外部導体（シールド線）
ＳＣｃ，ＳＣｄ  グランドバー
【図１】
0005594053.tif 000002
【図２】
0005594053.tif 000003
【図３】
0005594053.tif 000004
【図４】
0005594053.tif 000005
【図５】
0005594053.tif 000006
【図６】
0005594053.tif 000007
【図７】
0005594053.tif 000008
【図８】
0005594053.tif 000009
【図９】
0005594053.tif 000010
【図１０】
0005594053.tif 000011
【図１１】
0005594053.tif 000012
【図１２】
0005594053.tif 000013
【図１３】
0005594053.tif 000014
【図１４】
0005594053.tif 000015
【図１５】
0005594053.tif 000016
【図１６】
0005594053.tif 000017